(57)【要約】  【課題】  エネルギー消費及びＣＯ２排出量を低減し、新設の住宅に加えて既設の住宅にも設置可能な塵芥処理システムを提供すること。  【解決手段】  塵芥処理システム１は、住宅２の屋外に設けられており、住宅２の厨房２１に設けられた塵芥粉砕装置２１Ａで粉砕された厨房塵芥を含む厨房排水が流れる排水管２２が接続されている集水槽３と、集水槽３から送られてきた排水から塵芥を分離する塵芥分離装置４と、内部に分解菌保持体が充填されており、塵芥分離装置４から送られてきた塵芥を分解菌保持体と共に定期的に撹拌することによって塵芥を乾式で微生物分解する乾式分解槽５とを備える。【選択図】  図１
2009247988.tif 000002
【特許請求の範囲】
【請求項１】
住宅の屋外に設けられており、住宅の厨房に設けられた塵芥粉砕装置で粉砕された厨房塵芥を含む厨房排水が流れる排水管が接続されている集水槽と、
集水槽から送られてきた排水から塵芥を分離する塵芥分離装置と、
内部に分解菌保持体が充填されており、塵芥分離装置から送られてきた塵芥を分解菌保持体と共に定期的に撹拌することによって塵芥を乾式で微生物分解する乾式分解槽とを備える塵芥処理システム。
【請求項２】
集水槽には、洗面所、風呂及び洗濯機から出る排水並びに掃除排水からなる雑排水が流れる雑排水管が接続されていることを特徴とする請求項１に記載の塵芥処理システム。
【請求項３】
排水管には、洗面所、風呂及び洗濯機から出る排水並びに掃除排水からなる雑排水が流れる雑排水枝管が接続されていることを特徴とする請求項１に記載の塵芥処理システム。
【請求項４】
乾式分解槽から塵芥を微生物分解する過程で発生した臭気成分を含む気体を排気する排気装置と、
乾式分解槽とは独立に設けられており、排気装置によって排気された臭気成分を含む気体を脱臭することができる土壌脱臭装置とをさらに備えることを特徴とする請求項１乃至３のいずれかに記載の塵芥処理システム。
【請求項５】
土壌脱臭装置は、排気された気体を分散させる礫層と、気体中の臭気成分を分解する土壌微生物が混合され、礫層に積層した土壌層とを備え、
排気された気体を礫層、土壌層の順に通過させることによって、排気された気体を脱臭することを特徴とする請求項４に記載の塵芥処理システム。
【発明の詳細な説明】
【技術分野】
【０００１】
本発明は、排水に含まれる塵芥を分離し、塵芥を微生物分解する処理システムに関する。
【背景技術】
【０００２】
従来から、生ごみ等の塵芥を厨房に設置したディスポーザ等の塵芥破砕装置で破砕し、排水管を通して塵芥を含んだ厨房排水を処理装置に流入させ、厨房排水を浄化処理して公共下水道等に放流する処理システムが知られている。
【０００３】
このような処理システムでは、厨房で発生した生ごみをゴミ袋に詰めてごみ集積所まで運ぶ必要がないため、家事の手間を減らすことができる。家事の手間を減らすことで、特に家事が大きな負担になりがちな高齢者の生活の質を向上させることができるため、処理システムの普及が進んでいる。
【０００４】
処理システムの処理装置は特許文献１に示すように、湿式分解槽が使用されている。湿式分解槽は、好気性微生物を用いて厨房排水中の塵芥を分解浄化する。塵芥を湿式分解槽内で分解浄化するためには、湿式分解槽内に充分な酸素を供給する必要がある。
【特許文献１】特開２００７−１６７７４０
【発明の開示】
【発明が解決しようとする課題】
【０００５】
しかしながら、充分な酸素を供給するためには、出力が大きなポンプ等の送風機が必要となる。出力が大きな送風機は消費電力も大きくなるため、エネルギー消費が大きくなり、ＣＯ２排出量が増えるという問題があった。
【０００６】
また、既設の住宅では、厨房から出る厨房排水と洗面所、風呂及び洗濯機から出る排水並びに掃除排水からなる雑排水とが屋内で一本の排水管に合流している場合がある。厨房排水と雑排水とを湿式分解槽で処理する場合、塵芥の量が増えるので湿式分解槽の処理能力を上げる必要があり、さらに処理装置の大型化、エネルギー消費増大及びＣＯ２排出量増大を招くという問題があった。
【０００７】
上記点より本発明は、エネルギー消費及びＣＯ２排出量を低減し、新設の住宅に加えて既設の住宅にも設置可能な塵芥処理システムを提供することを目的とする。
【課題を解決するための手段】
【０００８】
上記課題を解決するため、請求項１の塵芥処理システムは、住宅の屋外に設けられており、住宅の厨房に設けられた塵芥粉砕装置で粉砕された厨房塵芥を含む厨房排水が流れる排水管が接続されている集水槽と、集水槽から送られてきた排水から塵芥を分離する塵芥分離装置と、内部に分解菌保持体が充填されており、塵芥分離装置から送られてきた塵芥を分解菌保持体と共に定期的に撹拌することによって塵芥を乾式で微生物分解する乾式分解槽とを備える。
【０００９】
請求項２の塵芥処理システムは、集水槽には、洗面所、風呂及び洗濯機から出る排水並びに掃除排水からなる雑排水が流れる雑排水管が接続されている。
【００１０】
請求項３の塵芥処理システムは、排水管には、洗面所、風呂及び洗濯機から出る排水並びに掃除排水からなる雑排水が流れる雑排水枝管が接続されている。
【００１１】
請求項４の塵芥処理システムは、乾式分解槽から塵芥を微生物分解する過程で発生した臭気成分を含む気体を排気する排気装置と、乾式分解槽とは独立に設けられており、排気装置によって排気された臭気成分を含む気体を脱臭することができる土壌脱臭装置とをさらに備える。
【００１２】
請求項５の塵芥処理システムは、土壌脱臭装置は、排気された気体を分散させる礫層と、気体中の臭気成分を分解する土壌微生物が混合され、礫層に積層した土壌層とを備え、排気された気体を礫層、土壌層の順に通過させることによって、排気された気体を脱臭するようになっている。
【発明の効果】
【００１３】
請求項１の塵芥処理システムによれば、排水から塵芥を分離する塵芥分離装置及び分離された塵芥を乾式で微生物分解する乾式分解槽を備えることによって、湿式分解槽による塵芥の処理に比べて、エネルギー消費及びＣＯ２排出量を低減することができる。
【００１４】
さらに、集水槽が住宅の屋外に設けられているので、住宅の屋外に延出する排水管を集水槽と接続することによって、新設の住宅に加えて、住宅の屋内の配管工事を行うことなく既設の住宅にも塵芥処理システムを設置することができる。
【００１５】
請求項２の塵芥処理システムによれば、集水槽に雑排水が厨房排水とともに流入することによって、雑排水に含まれる塵芥も微生物分解することができる。
【００１６】
請求項３の塵芥処理システムによれば、排水管を介して集水槽に雑排水が厨房排水とともに流入することによって、雑排水に含まれる塵芥も微生物分解することができる。
【００１７】
さらに、厨房排水と雑排水とが一本の排水管に合流している既設の住宅においても、住宅の屋外に延出する排水管を排水槽に接続することによって、住宅の屋内の配管工事を行うことなく、厨房排水及び雑排水の塵芥を処理できる塵芥処理システムを設置することができる。
【００１８】
請求項４の塵芥処理システムによれば、臭気成分を含む気体を排気する排気装置と臭気成分を含む気体を脱臭することができる土壌脱臭装置とを備えることによって、乾式分解槽内に悪臭が充満することを防止することができる。
【００１９】
さらに、土壌脱臭装置が乾式分離槽とは独立に設けられていることによって、乾式分離槽の設置場所に依存することなく土壌脱臭装置を設置することができる。
【００２０】
請求項５の塵芥処理システムによれば、土壌脱臭装置が礫層と、気体中の臭気成分を分解する土壌微生物が混合された土壌層とを備えることによって、エネルギー消費及びＣＯ２排出量の低減と気体の脱臭とを両立することができる。
【発明を実施するための最良の形態】
【００２１】
以下、本発明の一実施形態について図面に基づいて説明する。図１は、本発明の一実施形態である塵芥処理システム１を示す概略図である。
【００２２】
本実施形態の塵芥処理システム１は、住宅２の屋外に設けられており、住宅２の厨房２１に設けられた塵芥粉砕装置２１Ａで粉砕された厨房塵芥を含む厨房排水が流れる排水管２２が接続されている集水槽３と、集水槽３から送られてきた排水から塵芥を分離する塵芥分離装置４と、内部に分解菌保持体が充填されており、塵芥分離装置４から送られてきた塵芥を分解菌保持体と共に定期的に撹拌することによって塵芥を乾式で微生物分解する乾式分解槽５とを備えている。
【００２３】
厨房２１の塵芥粉砕装置２１Ａは、例えば、シンクの排水口に設置したディスポーザである。厨房２１で発生する生ゴミ等の厨房塵芥を塵芥破砕装置２１Ａで粉砕することができるようになっている。
【００２４】
塵芥破砕装置２１Ａには、排水管２２が接続されている。破砕された厨房塵芥を含む厨房排水は排水管２２を介して、集水槽３に流入するようになっている。
【００２５】
また、住宅２内では、洗面所２３、風呂２４及び洗濯機２５から出る排水並びに掃除排水からなる雑排水が生じる。本実施形態では、洗面所２３、風呂２４及び洗濯機２５で生じる雑排水を排水するための雑排水枝管２６、２７、２８が設けられている。雑排水枝管２６、２７、２８は排水管２２に接続されており、雑排水は排水管２２を介して集水槽３に流入するようになっている。
【００２６】
排水管２２を介して集水槽３に雑排水が厨房排水とともに流入することによって、雑排水に含まれる塵芥も塵芥分離装置４及び乾式分解槽５によって処理することができる。
【００２７】
本実施形態では、集水槽３が住宅２の屋外に設けられているので、住宅の屋外に延出する排水管２２を集水槽３と接続することによって、住宅２の屋内の配管工事を行うことなく既設の住宅の塵芥処理システム１を設置することができる。集水槽３に溜まった排水は、ポンプ３１によって塵芥分離装置４に送られるようになっている。
【００２８】
塵芥分離装置４の内部には、塵芥を分離するためのスクリーン４１が設置されている。排水がスクリーン４１上を流れると、排水中に含まれる厨房塵芥等の塵芥がスクリーン４１上に残り、排水の液体分がスクリーン４１を透過する。塵芥が除去された排水は、公共下水道８に放流されるようになっている。
【００２９】
塵芥分離装置４で分離された塵芥は、乾式分解槽５に投入される。図２は、乾式分解槽５の内部の様子を示す断面図である。乾式分解槽５の内部は２つ空間が並設されている。
【００３０】
左の空間には処理部５１と処理部５１の略下方に設けられている貯留部５２とが収容されている。右の空間には処理部５１の内部を撹拌する撹拌手段の一部の動力源であるモータ５３が収容されている。
【００３１】
処理部５１には分解菌保持体である木材チップ５４が充填されており、塵芥分離装置４で分離された塵芥を木材チップ５４とともに定期的に撹拌することによって、塵芥の微生物分解を行う。処理部５１の底部５１Ａは塵芥中に含まれていた水分及び微生物分解によって生成された水分等が透過するようになっている。
【００３２】
処理部５１の底部５１Ａを透過した水分等は、貯留部５２に流入するようになっている。貯留部５２の水分等は、乾式分解槽５の外に排出され公共下水道８に放流されるようになっている（図１参照）。
【００３３】
撹拌手段は、動力源であるモータ５３とモータ５３の動力を伝える伝動ベルト５５と、伝動ベルト５５によって回転する１本の撹拌軸５６と撹拌軸５６に取り付けられている撹拌翼５７を有する。モータ５３と伝動ベルト５５は乾式分解槽５の内部の右の空間にあり、撹拌軸５６は乾式分解槽５の内部の左の空間の処理部５１を貫通している状態となっている。
【００３４】
処理部５１の内部において、撹拌軸５６に撹拌翼５７が取り付けられている。撹拌翼５７は撹拌軸５６を中心として放射状に広がっている。
【００３５】
モータ５３及び伝動ベルト５５によって撹拌軸５６を回転させることで、処理部５１では、撹拌翼５７が塵芥及び木材チップ５４を定期的に撹拌し、塵芥を乾式で微生物分解することができるようになっている。
【００３６】
排水から塵芥を分離する塵芥分離装置４及び分離された塵芥を乾式で微生物分解する乾式分解槽５を備えることによって、湿式分解槽による塵芥の処理に比べて、エネルギー消費及びＣＯ２排出量を低減することができる。
【００３７】
また、本実施形態の塵芥処理システム１は、図１に示すように、乾式分解槽５から塵芥を微生物分解する過程で発生した臭気成分を含む気体を排気する排気装置６と、乾式分解槽５とは独立に設けられており、排気装置６によって排気された臭気成分を含む気体を脱臭することができる土壌脱臭装置７とをさらに備える。
【００３８】
塵芥処理システム１が臭気成分を含む気体を排気する排気装置６と臭気成分を含む気体を脱臭することができる土壌脱臭装置７とを備えることによって、乾式分解槽５内に悪臭が充満することを防止することができる。
【００３９】
また、土壌脱臭装置７が乾式分離槽５とは独立に設けられていることによって、乾式分離槽５の設置場所に依存することなく土壌脱臭装置７を設置することができる。
【００４０】
乾式分解槽５の内部には、排気ダクト５８が設けられている（図２参照）。排気装置６は排気ダクト５８を介して乾式分解槽５の内部の臭気成分を含む気体を土壌脱臭装置７へと排気できるようになっている。
【００４１】
土壌脱臭装置７は、排気された気体を分散させる礫層７１と、気体中の臭気成分を分解する土壌微生物が混合され、礫層に積層した土壌層７２とを備える。排気された気体を礫層７１、土壌層７２の順に通過させることによって、排気された気体を脱臭することができる。
【００４２】
土壌脱臭装置７が礫層７１と、気体中の臭気成分を分解する土壌微生物が混合された土壌層７２とを備えることによって、エネルギー消費及びＣＯ２排出量の低減と気体の脱臭とを両立することができる。
【００４３】
上記実施形態では、雑排水枝管２６、２７、２８が排水管２２に接続されている場合について説明したが、雑排水枝管２６、２７、２８が排水管２２に接続されておらず、厨房排水のみが集水槽３に流入するようになっていてもよい。
【００４４】
上記実施形態では、雑排水枝管２６、２７、２８が排水管２２に接続されている場合について説明したが、雑排水枝管２６、２７、２８が排水管２２とは別の雑排水管に接続されており、住宅の屋外に延出する雑排水管が集水槽３に接続するようになっていてもよい。
【図面の簡単な説明】
【００４５】
【図１】本発明の一実施形態である塵芥処理システム１を示す概略図である。
【図２】図１の乾式分解槽５の断面図である。
【符号の説明】
【００４６】
１                塵芥処理システム
２                住宅
３                集水槽
４                塵芥分離装置
５                乾式分解槽
６                排気装置
７                土壌脱臭装置
８                公共下水道
２１              厨房
２１Ａ            塵芥破砕装置
２２              排水管
２３              洗面所
２４              風呂
２５              洗濯機
２６、２７、２８  雑排水枝管
３１              ポンプ
４１              スクリーン
５１              処理部
５１Ａ            底部
５２              貯留部
５３              モータ
５４              木材チップ
５５              伝動ベルト
５６              撹拌軸
５７              撹拌翼
５８              排気ダクト
７１              礫層
７２              土壌層
【図１】
2009247988.tif 000003
【図２】
2009247988.tif 000004